(57)【特許請求の範囲】
【請求項１】
制御アドレスにより制御される複数の照明機器について、前記照明機器が接続される装置の接続端子のうち当該照明機器が接続された接続端子に予め付与された番号と、当該照明機器が使用する制御アドレスの数とを収集する収集部と；
各照明機器が接続された接続端子の番号に応じた順番で、前記複数の照明機器に対し、当該照明機器が使用する制御アドレスと同数の連続する制御アドレスを順次設定することで、前記複数の照明機器を通じて連続する制御アドレスを各照明機器に設定する設定部と；
を具備することを特徴とする照明制御システム。 
【請求項２】
制御アドレスにより制御される複数の照明機器について、前記照明機器が接続される装置の接続端子のうち当該照明機器が接続された接続端子に予め付与された番号と、当該接続端子から直列に接続された複数の照明機器のうち当該照明機器が接続された順序である接続順序と、当該照明機器が使用する制御アドレスの数とを収集する収集部と；
各照明機器が接続された接続端子の番号に応じた順番で、同一の接続端子から直列に接続された複数の照明機器に対し、前記接続順序に応じた順に各照明機器が使用する制御アドレスと同数の連続する制御アドレスを順次設定することで、前記複数の照明機器を通じて連続する制御アドレスを各照明機器に設定する設定部と；
を具備することを特徴とする照明制御システム。
【請求項３】
前記収集部は、前記接続順序として、複数の接続端子のそれぞれから直列に接続された照明機器が、前記接続端子から何台目に接続された照明機器であるかを示す値を収集し、
前記設定部は、前記収集部が収集した値が少ない順若しくは多い順に、各照明機器が使用する数の連続する制御アドレスを順次設定することを特徴とする請求項２に記載の照明制御システム。 
【請求項４】
前記設定部は、各照明機器に対し、当該照明機器に設定する制御アドレスのうち値が最も小さい制御アドレスを通知し、
前記照明機器は、前記設定部から通知された制御アドレスから連続する制御アドレスを、当該照明機器が使用する数分設定する
ことを特徴とする請求項１〜３のうちいずれか１つに記載の照明制御システム。 
【請求項５】
制御アドレスにより制御される複数の照明機器について、前記照明機器が接続される装置の接続端子のうち当該照明機器が接続された接続端子に予め付与された番号と、当該照明機器が使用する制御アドレスの数とを収集する収集部と；
各照明機器が接続された接続端子の番号に応じた順番で、前記複数の照明機器に対し、当該照明機器が使用する制御アドレスと同数の連続する制御アドレスを順次設定することで、前記複数の照明機器を通じて連続する制御アドレスが各照明機器に設定されるように、各照明機器に対して設定された制御アドレスを更新する更新部と；
を具備することを特徴とする照明制御システム。 
【請求項６】
制御アドレスにより制御される複数の照明機器について、前記照明機器が接続される装置の接続端子のうち当該照明機器が接続された接続端子に予め付与された番号と、当該照明機器が使用する制御アドレスの数とを収集する収集ステップと；
各照明機器が接続された接続端子の番号に応じた順番で、前記複数の照明機器に対し、当該照明機器が使用する制御アドレスと同数の連続する制御アドレスを順次設定することで、前記複数の照明機器を通じて連続する制御アドレスを各照明機器に設定する設定ステップと；
を含むことを特徴とする照明制御方法。 
【請求項７】
コンピュータに、
制御アドレスにより制御される複数の照明機器について、前記照明機器が接続される装置の接続端子のうち当該照明機器が接続された接続端子に予め付与された番号と、当該照明機器が使用する制御アドレスの数とを収集する収集手順と；
各照明機器が接続された接続端子の番号に応じた順番で、前記複数の照明機器に対し、当該照明機器が使用する制御アドレスと同数の連続する制御アドレスを順次設定することで、前記複数の照明機器を通じて連続する制御アドレスを各照明機器に設定する設定手順と；
を実行させることを特徴とする照明制御プログラム。
【請求項８】
制御アドレスにより制御される複数の照明機器について、前記照明機器が接続される装置の接続端子のうち当該照明機器が接続された接続端子に予め付与された番号と、当該接続端子から直列に接続された複数の照明機器のうち当該照明機器が接続された順序である接続順序と、当該照明機器が使用する制御アドレスの数とを収集する収集部と；
各照明機器が接続された接続端子の番号に応じた順番で、同一の接続端子から直列に接続された複数の照明機器に対し、前記接続順序に応じた順に各照明機器が使用する制御アドレスと同数の連続する制御アドレスを順次設定することで、前記複数の照明機器を通じて連続する制御アドレスが各照明機器に設定されるように、各照明機器に対して設定された制御アドレスを更新する更新部と；
を具備することを特徴とする照明制御システム。
【請求項９】
制御アドレスにより制御される複数の照明機器について、前記照明機器が接続される装置の接続端子のうち当該照明機器が接続された接続端子に予め付与された番号と、当該接続端子から直列に接続された複数の照明機器のうち当該照明機器が接続された順序である接続順序と、当該照明機器が使用する制御アドレスの数とを収集する収集ステップと；
各照明機器が接続された接続端子の番号に応じた順番で、同一の接続端子から直列に接続された複数の照明機器に対し、前記接続順序に応じた順に各照明機器が使用する制御アドレスと同数の連続する制御アドレスを順次設定することで、前記複数の照明機器を通じて連続する制御アドレスを各照明機器に設定する設定ステップと；
を含むことを特徴とする照明制御方法。
【請求項１０】
コンピュータに、
制御アドレスにより制御される複数の照明機器について、前記照明機器が接続される装置の接続端子のうち当該照明機器が接続された接続端子に予め付与された番号と、当該接続端子から直列に接続された複数の照明機器のうち当該照明機器が接続された順序である接続順序と、当該照明機器が使用する制御アドレスの数とを収集する収集手順と；
各照明機器が接続された接続端子の番号に応じた順番で、同一の接続端子から直列に接続された複数の照明機器に対し、前記接続順序に応じた順に各照明機器が使用する制御アドレスと同数の連続する制御アドレスを順次設定することで、前記複数の照明機器を通じて連続する制御アドレスを各照明機器に設定する設定手順と；
を実行させることを特徴とする照明制御プログラム。
【発明の詳細な説明】
【技術分野】
【０００１】
本発明の実施形態は、照明制御システム、照明制御方法および照明制御プログラムに関する。
【背景技術】
【０００２】
従来、スタジオや舞台等では、複数の照明機器により照明演出がなされている。そして、各照明機器側に設定される制御アドレスを用いて、照明制御装置が各照明機器の照度や照明する光の色彩等を遠隔制御する照明制御システムが導入されている。
【０００３】
このような照明制御システムでは、各照明機器に対して照度や照明する光の色彩ごとに制御アドレスを設定し、照明制御装置と各照明機器との通信を制御する伝送装置に照明機器を接続し、照明制御装置が有する調光用フェーダ等の操作部と各照明機器に設定した制御アドレスとの対応を設定するといった設定作業をあらかじめ手作業で行う。
【０００４】
このように、照明制御システムでは、手作業で制御アドレスの設定作業を行わなければならない上、複数の照明機器に対して同一の制御アドレスが重複して設定されていた場合や、照明機器を接続した位置の変更や修正が生じた場合に、制御アドレスの設定を再度行わなければならず、効率良い設定作業の支障となっていた。
【先行技術文献】
【特許文献】
【０００５】
【特許文献１】特開２０１４−１２０３５１号公報
【発明の概要】
【発明が解決しようとする課題】
【０００６】
本発明が解決しようとする課題は、設定作業の効率を向上させることができる照明制御システム、照明制御方法および照明制御プログラムを提供することである。
【課題を解決するための手段】
【０００７】
実施形態の一例に係る照明制御システムは、収集部と設定部とを有する。収集部は、制御アドレスにより制御される複数の照明機器から、照明機器の接続位置と照明機器が使用する制御アドレスの数とを照明機器ごとに収集する。設定部は、収集部が収集した接続位置と制御アドレスの数とに応じて、各照明機器に制御アドレスを設定する。
【発明の効果】
【０００８】
実施形態の一例に係る照明制御システム、照明制御方法および照明制御プログラムによれば、設定作業の効率を向上させることができる。
【図面の簡単な説明】
【０００９】
【図１】図１は、実施形態に係る照明制御システムの構成の一例を示すブロック図である。
【図２】図２は、実施形態に係る各装置の機能構成の一例を示すブロック図である。
【図３】図３は、実施形態に係るフェーダ管理テーブルに格納された情報の一例を示す図である。
【図４】図４は、実施形態に係るアドレス数管理テーブルに格納された情報の一例を示す図である。
【図５】図５は、各照明機器に設定される制御アドレスの一例を説明する図である。
【図６】図６は、接続位置を収集する収集処理の一例を示すフローチャートである。
【図７】図７は、接続位置とアドレス数とに応じて、制御アドレスを設定する設定処理の一例を示すフローチャートである。
【図８】図８は、各照明機器に設定される制御アドレスの他の例を説明する図である。
【発明を実施するための形態】
【００１０】
以下、図面を参照して、実施形態に係る照明制御システム、照明制御方法および照明制御プログラムを説明する。実施形態において同一の機能を有する構成には同一の符号を付し、重複する説明は省略する。なお、以下の実施形態で説明する照明制御システム、照明制御方法および照明制御プログラムは、一例を示すに過ぎず、実施形態を限定するものではない。例えば、以下の実施形態では、照明制御システムは、照明機器以外にも、任意の舞台装置の制御にも適用することができる。なお、以下の各実施形態は、矛盾しない範囲内で適宜組みあわせてもよい。
【００１１】
以下の実施形態に係る照明制御システム１は、制御アドレスにより制御される複数の照明機器１０（例えば、照明機器１０−１〜１０−ｎ）と、照明機器１０を制御する照明制御装置３０とを有し、照明制御装置３０は、照明機器１０が接続された伝送装置やポート等の接続位置と照明機器１０が使用する制御アドレスの数であるアドレス数とを照明機器１０ごとに収集する収集部３５−１と、収集部３５−１が収集した接続位置と制御アドレスの数とに応じて、照明機器１０に制御アドレスを設定する設定部３５−３とを有する。
【００１２】
また、以下の実施形態に係る照明制御システム１は、照明機器１０の接続位置として、照明機器１０と接続される装置（例えば、伝送装置２０）が有する接続端子（例えば、ポート２３、２３）のうち、照明機器１０が接続された接続端子を示す情報（例えば、ポート番号）を収集し、照明機器１０が接続された接続端子に応じた制御アドレスを設定する。
【００１３】
また、以下の実施形態に係る照明制御システム１は、各照明機器１０が接続された接続端子に応じた順序で、連続する制御アドレスを各照明機器１０に設定する。
【００１４】
また、以下の実施形態に係る照明制御システム１は、接続位置として、同一の接続端子から直列に接続された複数の照明機器１０（例えば、照明機器１０−１〜１０−３）の接続順序を収集し、各照明機器１０の接続順序に応じた制御アドレスを設定する。
【００１５】
また、以下の実施形態に係る照明制御システム１は、同一の接続端子から直列に接続された複数の照明機器（例えば、照明機器１０−１〜１０−３）に対し、連続する制御アドレスを接続順序に応じた順に設定する。
【００１６】
また、以下の実施形態に係る照明制御システム１は、接続位置として、複数の接続端子のそれぞれから直列に接続された照明機器（例えば、照明機器１０−１〜１０−ｎ）が、各接続端子から何台目に接続された照明機器であるかを示す値を収集し、収集した値が少ない順若しくは多い順に、連続する制御アドレスを設定する。
【００１７】
また、以下の実施形態に係る照明制御システム１は、各照明機器１０に対し、各照明機器１０のそれぞれが使用する数の制御アドレスを設定する。
【００１８】
また、以下の実施形態に係る照明制御システム１は、各照明機器１０に対し、各照明機器１０のそれぞれに設定する制御アドレスのうち値が最も小さい制御アドレスを通知する。そして、各照明機器１０は、通知された制御アドレスから連続する制御アドレスを、その照明機器１０が使用する数の分だけ設定する。
【００１９】
［実施形態］
（実施形態に係る照明制御システムの構成）
図１は、実施形態に係る照明制御システムの構成の一例を示すブロック図である。実施形態に係る照明制御システム１は、複数の照明機器１０（１０−１〜１０−ｎ）、複数の伝送装置２０（２０−１〜２０−ｎ）、及び照明制御装置３０を有する。なお、照明制御システム１に接続される照明機器１０および伝送装置２０の種別や数などは任意に設定できる。
【００２０】
照明制御システム１において、照明機器１０は、ＤＭＸ規格に従った通信プロトコルや、ＤＭＸを拡張したＲＤＭ（Remote  Device  Management）規格に沿った通信方式により、伝送装置２０や照明制御装置３０と双方向通信が可能であり、直接若しくは他の照明機器１０を介して伝送装置２０と接続される。例えば、図１に示す例では、照明機器１０−１〜１０−３は、伝送装置２０に対して直列に接続されている。また、照明機器１０は、ＬＥＤ（Light  Emitting  Diodes）等の半導体発光素子を有し、制御信号に従って、明るさ（照度）、範囲、色彩、照明する位置等を変化させることで、スタジオや舞台等の照明演出を行う。
【００２１】
ここで、照明機器１０には、１つまたは複数の制御アドレスが予め設定されており、その制御アドレスを用いた制御に従って、照度、照明する光の色彩、照明する向き等の制御対象を変更する。すなわち、照明機器１０には、制御対象のそれぞれに対して異なる制御アドレスが設定されており、自装置に設定された制御アドレスを示す制御信号を受信した場合は、その制御アドレスが示す制御対象を、受信した制御信号に従って制御態様を変更する。なお、照明機器１０の制御対象としては、赤、青、緑、シアン、白（R:Red,  G:Green,  B:Blue,  C:Cyan,  W:Whyte）といった照明する光の色彩や、照度（Intensity）、照明する位置や照明装置１０自体の位置を移動させる移動（Moving）等が採用される。
【００２２】
伝送装置２０−１〜２０−ｎは、イーサネット（登録商標）等の有線または無線によるネットワークによって照明制御装置３０と双方向通信が可能な態様で接続され、ＤＭＸ規格やＲＤＭ規格に沿った通信方式により、照明機器１０−１〜１０−ｎと双方向通信が可能な態様で接続された通信制御装置である。例えば、伝送装置２０は、接続端子であるポートを有し、ポートを介して、１つまたは複数の照明機器１０と接続される。
【００２３】
ここで、伝送装置２０−１〜２０−ｎは、照明機器１０を吊り下げるバトンと呼ばれる長尺の装置や、スタジオや舞台に固定された態様で利用されていてもよく、スタジオ内を移動可能な状態で利用されていてもよい。また、伝送装置２０−１〜２０−ｎは、照明機器１０を吊り下げるとともに、照明機器１０と照明制御装置３０との通信を中継することができるバトン装置であってもよい。
【００２４】
照明制御装置３０は、オペレータから照明機器１０に対する操作指令を受付けると、照明機器１０−１〜１０−ｎに設定された制御アドレスを含む制御情報を生成して伝送装置２０−１〜２０−ｎに制御情報を送信する。このような場合、伝送装置２０−１〜２０−ｎは、制御情報をＲＤＭ規格に沿った制御信号（例えば、調光信号等）に変換し、変換後の制御信号を出力する。
【００２５】
一方、照明機器１０−１〜１０−ｎは、伝送装置２０から受信した制御信号を自装置よりも後方に接続された照明機器へ転送するとともに、受信した制御信号が示す制御アドレスが照度や色彩等の制御態様に設定された制御アドレスと一致する場合は、受信した制御信号に従って、受信した制御信号が示す制御アドレスが設定された制御態様を変更する。例えば、照明機器１０−１は、ＲＧＢＣに制御アドレス「１」〜「４」が設定され、照度に制御アドレス「５」が設定されている際に、制御アドレス「５」を示す制御信号を受信した場合は、受信した制御信号に従って、照度を制御する。
【００２６】
（実施形態に係る照明制御システムが実行する設定処理）
ここで、従来の照明制御システムでは、照明機器の追加、変更、交換や照明機器を別の位置に移動する場合、制御アドレスを誤って設定してしまった場合等には、照明機器に正しい制御アドレスを設定する作業や照明機器に対する操作を受付けるフェーダと制御アドレスとの対応付けのための作業を再度行わなくてはならない。特に、照明機器１０が複数の制御アドレスを使用する場合や、照明機器１０が使用する制御アドレスの数がそれぞれ異なる場合等には、設定作業が困難となる。
【００２７】
また、操作性の観点から、各照明機器１０に対する操作を受付けるフェーダと、各照明機器１０との対応関係は、スタジオや舞台のレイアウトに沿うのが望ましい。例えば、オペレータから見て左側に配置された照明機器は、オペレータから見て左側に配置されたフェーダにより操作されるのが望ましい。このため、各フェーダに制御アドレスを予め関連付けておき、各照明機器１０−１〜１０−ｎに対して、各照明機器１０−１〜１０−ｎの位置に応じた制御アドレスを付与する態様が考えられる。
【００２８】
しかしながら、従来の照明制御システムでは、制御アドレスの付与や照明機器の設置が手作業で行われるため、制御アドレスを誤って設定した場合や、設置位置を間違えた場合は、設定作業を再度行わなければならない。また、一般に、照明機器１０には、工場出荷時の試験のために同一のアドレスが付与されていたり、前回使用時の制御アドレスが保存されたままになっていることがあるため、そのままでは適切に制御を行うことができない。
【００２９】
そこで、照明制御装置３０は、各照明機器１０−１〜１０−ｎが接続された位置（以下接続位置と記載する。）と、各照明機器１０−１〜１０−ｎが使用する制御アドレスの数とを照明機器１０ごとに収集し、収集した接続位置と制御アドレスの数とに応じて、各照明機器１０−１〜１０−ｎに制御アドレスを設定する。
【００３０】
例えば、照明制御装置３０の隣接する複数のフェーダに対して連続する制御アドレス「１」〜「１５」が順に割り当てられており、伝送装置２０−１が有するポートから５つの制御アドレスを使用する照明機器１０−１、４つの制御アドレスを使用する照明機器１０−２、６つの制御アドレスを使用する照明機器１０−３が直列に接続されているものとする。このような場合、照明制御装置３０は、照明機器１０−１に対して制御アドレス「１」〜「５」を設定し、照明機器１０−２に対して制御アドレス「６」〜「９」を設定し、照明機器１０−３に対して制御アドレス「１０」〜「１５」を自動設定することで、スタジオや舞台のレイアウトに沿った制御アドレスの設定を行うことができる。
【００３１】
ここで、照明制御装置３０が収集する接続位置は、各照明機器１０−１〜１０−ｎの位置関係を特定する情報である。例えば、照明制御装置３０は、接続位置として、各照明機器１０−１〜１０−ｎが接続された伝送装置２０を示す伝送装置番号、各照明機器１０−１〜１０−ｎが直接または他の照明機器を介して接続するポートを示すポート番号、または、照明機器１０−１〜１０−３等、同一のポートから直列に接続された照明機器１０の順序（以下、接続順序と記載する。）等を接続位置として収集する。なお、上述した接続位置以外にも、各照明機器１０−１〜１０−ｎの位置関係を特定できるのであれば、任意の情報が採用可能である。
【００３２】
なお、各照明機器１０−１〜１０−ｎに対して設定される制御アドレスは、接続位置と各照明機器１０−１〜１０−ｎが使用する制御アドレスの数に応じた任意のルールに基づいて設定される。例えば、照明制御装置３０は、連続する制御アドレスを、各照明機器１０−１〜１０−ｎが接続されたポートに応じた順序で各照明機器１０−１〜１０−ｎに設定してもよく、同一のポートから直列に接続された複数の照明機器（例えば、照明機器１０−１〜１０−３）に対して、連続する制御アドレスを接続順序に応じた順で設定してもよく、伝送装置２０が有する各ポートのそれぞれから直列に接続された複数の照明機器に対し、接続順序に応じた順で設定してもよい。
【００３３】
このように、照明制御システム１は、各照明機器１０−１〜１０−ｎから、接続位置と使用する制御アドレスの数とを収集し、収集した接続位置と使用する制御アドレスの数とに応じて、各照明機器１０−１〜１０−ｎに制御アドレスを設定するので、照明機器１０側で制御アドレスを手作業で設定せずとも、各照明機器１０−１〜１０−ｎに対して、重複のない制御アドレスを設定するとともに、各照明機器１０−１〜１０−ｎの接続位置に応じた制御アドレスを設定することができる。
【００３４】
また、照明制御システム１は、照明機器の追加、変更、交換や、照明機器を別の位置に移動する場合、若しくは制御アドレスを誤って設定してしまった場合であっても、ＲＤＭ規格に沿った通信方式により制御アドレスを設定しなおすので、照明機器を取り外して制御アドレスを手作業で設定し直すといった作業や、照明機器の交換時に制御アドレスを手作業で設定するといった作業を行わずとも、適切に制御を行うことができる。
【００３５】
なお、照明制御装置３０が制御アドレスを自動設定するタイミングは、任意のタイミングが適用可能であり、例えば、オペレータからの指示があった場合に、各照明機器１０−１〜１０−ｎの接続位置と使用する制御アドレスの数とをそれぞれ収集し、収集した接続位置と使用する制御アドレスの数とに基づく制御アドレスを、各照明機器１０−１〜１０−ｎに対して設定してもよく、各照明機器１０−１〜１０−ｎに設定済みの制御アドレスを、収集した接続位置と使用する制御アドレスの数とに基づく制御アドレスに更新してもよい。
【００３６】
（実施形態に係る各装置の機能構成）
続いて、図２を用いて、実施形態に係る照明機器１０、伝送装置２０および照明制御装置３０の機能構成の一例を説明する。図２は、実施形態に係る各装置の機能構成の一例を示すブロック図である。なお、以下の説明では、照明機器１０−２〜１０−ｎは、照明機器１０−１と同様の構成および機能を発揮するものとして、説明を省略する。また、伝送装置２０−２〜２０−ｎは、伝送装置２０−１と同様の構成および機能を発揮するものとして、説明を省略する。
【００３７】
まず、照明機器１０−１の構成について説明する。実施形態に係る照明機器１０−１は、記憶部１１、制御部１２、光源部１３を有する。
【００３８】
記憶部１１は、照明機器１０−１が有する不揮発性のメモリであり、照明機器１０−１の照明機器情報が登録される。ここで照明機器情報としては、例えば、製造会社名、機器型番、ＵＩＤ（Unique  Identifier）、ＤＭＸアドレス、点灯時間、通電時間、質量、パーソナリティー設定、スロット数、スタートアドレスといった情報が含まれる。
【００３９】
ここで、製造会社名とは、照明機器１０−１の製造会社名である。機器型番とは、製造会社によって定められた照明機器１０−１の型番である。ＵＩＤとは、ＤＭＸ規格で用いられる装置ごとに固有の番号であり、各照明機器１０−１〜１０−ｎに予め付与される１２桁の１６進数で表される情報である。また、ＤＭＸアドレスとは、ＤＭＸのデータリンク上におけるアドレス、すなわち、照明制御装置３０が照明機器１０−１を制御する際に用いる制御アドレスである。なお、ＤＭＸアドレスは、照度、照明の色彩、照明を移動させるムービング等、照明機器１０−１が制御する制御対象ごとに記憶される。
【００４０】
また、点灯時間とは、照明機器１０−１の光源を点灯させた時間の合計を示す情報である。また、通電時間とは、照明機器１０−１に電力が供給された時間の合計を示す情報である。また、質量とは、照明機器１０の質量を示す情報である。また、パーソナリティー設定とは、照明機器１０−１の動作のモードを示す情報である。また、スロット数とは、照明機器１０−１が使用する制御アドレスの数であり、照度や色彩等、制御可能な制御対象の数を示す情報である。また、スタートアドレスとは、照明機器１０−１に設定される複数の制御アドレスのうち、値が最も小さい制御アドレスを示す情報である。
【００４１】
制御部１２は、照明の制御を行う。例えば、伝送装置２０−１は、照明制御装置３０から照明機器１０−１に設定された制御アドレスを示す制御情報を受信すると、受信した制御情報を制御信号に変換し、制御アドレスが示す照明機器１０−１が接続されたポート２２から制御信号を出力する。このような場合、照明機器１０−１は、制御信号が示す制御アドレスが設定された制御対象を、制御信号が示す制御内容に従って変更する。一方、照明機器１０−１は、受信した制御信号が自装置に設定された制御アドレスを示さない場合は、受信した制御信号を後方に接続された照明機器１０−２へ転送する。
【００４２】
また、照明制御装置３０は、照明機器１０−１に制御アドレスを設定する場合は、照明機器１０−１のＵＩＤと、スタートアドレスの値とを対応付けた制御情報を出力する。このような場合、伝送装置２０は、制御情報を制御信号に変換して照明機器１０−１が接続されたポート２２から変換後の制御信号を出力する。
【００４３】
制御部１２は、自装置のＵＩＤとスタートアドレスの値とを示す制御信号を受信すると、受信した制御信号が示すスタートアドレスの値を記憶部１１に記憶させ、スタートアドレスからスロット数と同じ数の制御アドレスを、自装置の制御態様と対応付けて記憶部１１に登録する。例えば、制御部１２は、照明する光の色彩のうちＲＧＢ各色の強度と、照度とに対して合計４つの制御アドレスが設定可能である際に、スタートアドレス「１」を示す制御信号を受信した場合は、赤色（Ｒ）の強度に制御アドレス「１」を対応付け、緑色（Ｇ）の強度に制御アドレス「２」を対応付け、青色（Ｂ）の強度に制御アドレス「３」を対応付け、照度に制御アドレス「４」を対応付ける。
【００４４】
光源部１３は、照明機器１０−１が有する光源であり、制御部１２の制御に従って、照度、照明する範囲、色彩等を制御可能なＬＥＤ等の半導体発光素子により実現される。
【００４５】
次に、伝送装置２０−１の構成について説明する。実施形態に係る伝送装置２０−１は、通信部２１と複数のポート２２、２３を有する。なお、図２に示す例では、ポート２２、２３のみを記載したが、伝送装置２０−１は、任意の数のポートを有してよい。
【００４６】
通信部２１は、照明制御装置３０との間で情報の送受信を行う通信装置であり、例えば、ＮＩＣ（Network  Interface  Card）等の通信装置によって実現される。また、各ポート２２〜２３は、それぞれを識別するためのポート番号が付与されたポートであり、例えば、ＲＤＭ規格に従って照明機器１０と信号を送受信するためのコネクタである。
【００４７】
ここで、通信部２１は、照明制御装置３０から制御情報を受信すると、受信した制御情報をＲＤＭ規格に沿った制御信号に変換し、受信した制御情報が示す制御アドレスが設定された照明機器１０を特定し、特定した照明機器１０が接続されたポートから制御信号を出力する。
【００４８】
ここで、通信部２１は、各照明機器１０の接続順序を収集するため、以下の処理を実行する。例えば、照明制御装置３０は、接続順序を収集する場合は、照明機器情報の収集を指示する収集指示を各伝送装置２０に出力する。このような場合、通信部２１は、照明機器情報の読み出しを指示する読出信号を全てのポート２２、２３から出力する。
【００４９】
一方、照明機器１０−１が有する制御部１２は、読出信号を受信すると、受信した読出信号を後方の照明機器１０−２へ出力する前に、自装置の照明機器情報を出力したか否かを判定し、自装置の照明機器情報を出力していないと判定した場合は、読出信号を後方の照明機器１０−２へ出力せずに、自装置の照明機器情報を通信部２１へ送信する。一方、通信部２１は、照明機器情報を受信すると、照明機器情報を受信したポートのポート番号と、自装置（例えば、伝送装置２０−１）を識別する伝送装置番号とを対応付けて照明制御装置３０へ送信するとともに、照明機器情報を受信したポートから読出信号を再度出力する。
【００５０】
また、制御部１２は、読出信号を受信すると、受信した読出信号を後方の照明機器１０−２へ出力する前に、自装置の照明機器情報を出力したか否かを判定し、自装置の照明機器情報を出力したと判定した場合は、受信した読出信号を後方の照明機器１０−２へ出力し、照明機器１０−２から照明機器情報を受信した場合は、受信した照明機器情報を通信部２１へ送信する。このような処理を各照明機器１０−１〜１０−ｎが実行することにより、照明制御装置３０は、ポートに近い方から順に、各照明機器１０−１〜１０−３の照明機器情報を収集することができる。
【００５１】
次に、照明制御装置３０の構成について説明する。実施形態に係る照明制御装置３０は、通信部３１、記憶部３２、表示部３３、操作部３４、制御部３５を有する。通信部３１は、伝送装置２０を介して、照明機器１０との間で情報の送受信を行い、例えば、ＮＩＣ等の通信装置によって実現される。
【００５２】
記憶部３２は、ＨＤＤ（Hard  Disk  Drive）、ＳＳＤ（Solid  State  Drive）、フラッシュメモリ、ＲＡＭ（Random  Access  Memory）等の記憶装置により実現されるものであり、フェーダ管理テーブル３２−１、アドレス数管理テーブル３２−２とを記憶する。
【００５３】
フェーダ管理テーブル３２−１には、操作部３４が有する複数のフェーダ３４−１〜３４−ｎと制御アドレスとの対応が格納される。例えば、図３は、実施形態に係るフェーダ管理テーブルに格納された情報の一例を示す図である。図３に示す例では、フェーダ管理テーブル３２−１には、各フェーダ３４−１〜３４−ｎを識別するフェーダ番号と制御アドレスとが対応付けて登録されている。例えば、図３に示す例では、各フェーダ番号「Ｆ１」〜「Ｆ６」に制御アドレス「１１」〜「１６」が対応付けて登録されている。
【００５４】
なお、図３に示す例では、対応付けられたフェーダ番号と制御アドレスとに異なる値が設定されていたが、実施形態はこれに限定されるものではない。例えば、１つのフェーダ番号に対して複数の制御アドレスを対応付けることにより、複数の制御アドレスに対して共通の制御信号を与えることもできる。
【００５５】
図２に戻り、アドレス数管理テーブル３２−２には、各照明機器１０−１〜１０−ｎの照明機器情報と、接続位置とが対応付けて格納される。例えば、図４は、実施形態に係るアドレス数管理テーブルに格納された情報の一例を示す図である。図４に示す例では、アドレス数管理テーブル３２−２には、識別情報、機器情報、伝送装置番号、ポート番号、順番、アドレス数、スタートアドレス等の照明機器情報が対応付けて登録されている。
【００５６】
ここで、アドレス数管理テーブル３２−２に登録された識別情報とは、照明機器１０から収集した照明機器情報に含まれるＵＩＤである。また、機器情報とは、照明機器情報から特定可能な照明機器１０の情報であり、「ホリゾントライト」や「スポットライト」といった照明機器１０の種別や、照明機器１０の消費電力を示す情報が含まれる。また、伝送装置番号とは、照明機器情報が示す照明機器１０が接続された伝送装置２０を識別するための番号である。また、ポート番号とは、照明機器情報が示す照明機器１０が直接または他の照明機器１０を介して接続される伝送装置のポートに付与されたポート番号である。
【００５７】
また、順番とは、ポートから直列に接続された１つまたは複数の照明機器１０のうち、ポートから何番目に接続された照明機器１０であるかを示す情報、すなわち接続順序である。また、アドレス数とは、照明機器１０が使用する制御アドレスの数であり、いわゆるスロット数である。また、スタートアドレスとは、照明機器１０が使用する制御アドレスのうち、最も小さい値の制御アドレスである。すなわち、照明機器１０は、スタートアドレスからアドレス数と同じ数の連番の制御アドレスを使用する。
【００５８】
例えば、図４に示す例では、識別情報「ＵＩＤ１」、機器情報「ホリゾントライト・・・」、伝送装置番号「Ｓ１」、ポート番号「Ｐ１」、順番「１」、アドレス数「５」およびスタートアドレス「１」が対応付けて登録されている。この情報は、識別情報「ＵＩＤ１」が示す照明機器が「ホリゾントライト」であり、伝送装置番号「Ｓ１」が示す伝送装置が有するポートのうち、ポート番号「Ｐ１」が示すポートから「１」番目に接続されており、スタートアドレス「１」から「５」つの制御アドレス、すなわち、制御アドレス「１」〜「５」を使用する旨を示す。
【００５９】
また、図４に示す例では、識別情報「ＵＩＤ２」が伝送装置番号「Ｓ１」、ポート番号「Ｐ１」、順番「２」、アドレス数「４」およびスタートアドレス「６」が対応付けて登録されている。この情報は、識別情報「ＵＩＤ２」が示す照明機器が伝送装置番号「Ｓ１」が示す伝送装置が有するポートのうち、ポート番号「Ｐ１」が示すポートから「２」番目、すなわち、識別情報「ＵＩＤ１」が示す照明機器の後方に接続されており、スタートアドレス「６」から「４」つの制御アドレス、すなわち、制御アドレス「６」〜「９」を使用する旨を示す。
【００６０】
なお、後述する説明で明らかとなるように、各照明機器１０−１〜１０−ｎに制御アドレスが設定されていない場合には、スタートアドレスの値は空欄となる。また、各照明機器１０−１〜１０−ｎに前回設定された制御アドレスがそのまま残っている場合には、前回設定されたスタートアドレスの値がアドレス数管理テーブル３２−２に登録されることとなる。また、以下の説明では、伝送装置番号は「Ｓ１」、「Ｓ２」の順に若い（小さい）番号であるものとし、ポート番号は「Ｐ１」、「Ｐ２」の順に若い番号であるものとする。
【００６１】
図２に戻り説明を続ける。表示部３３は、任意の情報を表示可能な表示装置であり、例えば、液晶モニタやタッチパネル等により実現される。なお、表示部３３が表示する画面としては、照明制御装置３０に接続された各照明機器１０−１〜１０−ｎの設置位置、各照明機器１０−１〜１０−ｎに設定された制御アドレス、各照明機器１０−１〜１０−ｎに対する操作を受付けるフェーダ３４−１〜３４−ｎの情報等が採用される。
【００６２】
操作部３４は、各照明機器１０−１〜１０−ｎに対する操作を受付けるものであり、例えば、複数のフェーダ３４−１〜３４−ｎを有する。各フェーダ３４−１〜３４−ｎには、それぞれ個別のフェーダ番号が付与されており、例えば、各照明機器１０−１〜１０−ｎの照度、色彩、照明する向き、動き等の操作を受付けるスライダである。なお、操作部３４はタッチパネル等を利用して構成することもできる。例えば、照明制御装置３０は、各照明機器１０の照明機器情報や接続位置を模式的に示すアイコン等を表示し、利用者がいずれかの照明機器機器やアイコンを選択した場合は、選択した照明機器情報やアイコンが示す照明機器を制御するためのフェーダを画面上に表示してもよい。
【００６３】
制御部３５は、各照明機器１０−１〜１０−ｎの接続位置とアドレス数とを収集し、収集した接続位置とアドレス数とに応じた制御アドレスを各照明機器１０−１〜１０−ｎに設定する。例えば、図２に示す例では、制御部３５は、収集部３５−１、割当部３５−２、設定部３５−３、操作制御部３５−４を有する。
【００６４】
収集部３５−１は、各照明機器１０−１〜１０−ｎごとに、接続位置とアドレス数とを収集する。例えば、収集部３５−１は、オペレータによる指示に応じて、各伝送装置２０に対し、収集指示を出力する。かかる場合、各伝送装置２０は、各照明機器１０−１〜１０−ｎに対して読出信号を随時出力し、受信した照明機器情報を、その照明機器情報を受付けたポートのポート番号とともに収集部３５−１へ送信する。
【００６５】
このような場合、収集部３５−１は、受信した照明機器情報が示す照明機器の接続順序を特定し、特定した接続順序と、受信した照明機器情報と、受信したポート番号と、受信した照明機器情報の送信元となる伝送装置２０の伝送装置番号とを関連付けてアドレス数管理テーブル３２−２に登録する。例えば、収集部３５−１は、受信した照明機器情報の送信元となる伝送装置２０の伝送装置番号と受信したポート番号との組ごとに、照明機器情報を受信した数を計数し、計数した数を接続順序として、アドレス数管理テーブル３２−２に登録する。
【００６６】
すなわち、収集部３５−１は、照明機器情報を受信した順番に基づいて、各照明機器１０−１〜１０−ｎが各伝送装置２０のポートから何台目に接続された照明機器であるかを示す値を接続順序として特定し、特定した接続順序を受信した照明機器情報と対応付けてアドレス数管理テーブル３２−２に登録する。例えば、収集部３５−１は、照明機器１０−１の照明機器情報を受信した後に、照明機器１０−２の照明機器情報を受信した場合は、照明機器１０−１の照明機器情報と順番「１」を対応付けて登録し、照明機器１０−２の照明機器情報と順番「２」を対応付けて登録する。
【００６７】
割当部３５−２は、収集部３５−１が収集した接続位置とアドレス数とに応じて、各照明機器１０−１〜１０−ｎに設定する制御アドレスの割り当てを行う。より詳細には、割当部３５−２は、各照明機器１０−１〜１０−ｎが接続された伝送装置２０、各照明機器１０−１〜１０−ｎが直接または他の照明機器を介して接続されたポート、または各照明機器１０−１〜１０−ｎの接続順序の少なくともいずれか１つに基づいて、各照明機器１０−１〜１０−ｎに対し、各照明機器１０−１〜１０−ｎのアドレス数分、連続する制御アドレスを設定する。
【００６８】
例えば、割当部３５−２は、アドレス数管理テーブル３２−２を参照し、最も若い伝送装置番号「Ｓ１」と、最も若いポート番号「Ｐ１」と対応付けられた照明機器情報を特定し、特定した照明機器情報のうち、順番「１」が対応付けられた照明機器情報のスタートアドレスを「１」に更新する。続いて、割当部３５−２は、特定した照明機器情報のうち、順番「２」が対応付けられた照明機器情報のスタートアドレスを、順番「１」が対応付けられた照明機器情報のアドレス数とスタートアドレスとの合計値に更新し、特定した照明機器情報のうち、順番「３」が対応付けられた照明機器情報のスタートアドレスを、順番「２」が対応付けられた照明機器情報のアドレス数とスタートアドレスとの合計値に更新する。すなわち、割当部３５−２は、ｎを自然数とした時に、順番「ｎ＋１」が対応付けられた照明機器情報のスタートアドレスを、順番「ｎ」が対応付けられた照明機器情報のアドレス数とスタートアドレスとの合計値に更新する。
【００６９】
例えば、割当部３５−２は、順番「１」が対応付けられた照明機器情報のスタートアドレスが「１」であり、順番「１」が対応付けられた照明機器情報のアドレス数が「５」である場合は、順番「２」が対応付けられた照明機器情報のスタートアドレスを「６」に更新し、順番「２」が対応付けられた照明機器情報のアドレス数が「４」である場合は、順番「３」が対応付けられた照明機器情報のスタートアドレスを「１０」に更新する。そして、割当部３５−２は、同様の処理を全ての伝送装置番号とポート番号との組について実行することで、各照明機器１０−１〜１０−ｎが接続する伝送装置２０の伝送装置番号と、各照明機器１０−１〜１０−ｎが接続する伝送装置２０のポート番号と、各照明機器１０−１〜１０−ｎの接続順序との組み合わせが早い順に、連続する制御アドレスを、各照明機器１０−１〜１０−ｎのアドレス数分ずつ割り当てる。なお、このような処理を全ての伝送機器番号とポート番号との組に対して実行される結果、アドレス数管理テーブル３２−２には、図４に示すスタートアドレスが登録されることとなる。
【００７０】
設定部３５−３は、各照明機器１０−１〜１０−ｎに対して、制御アドレスを設定する。例えば、設定部３５−３は、割当部３５−２によって全ての照明機器情報に対し、スタートアドレスが割り当てられた場合は、各照明機器情報の識別情報とスタートアドレスとを対応付けて伝送装置２０に出力する。
【００７１】
このような処理の結果、各照明機器１０−１〜１０−ｎは、自装置の識別情報と対応付けられたスタートアドレスから、アドレス数分の制御アドレスを、各制御対象の制御アドレスとする。例えば、図５は、各照明機器に設定される制御アドレスの一例を説明する図である。なお以下の説明では、各照明機器１０−１〜１０−３には、図４に示すアドレス数管理テーブル３２−２に登録された情報のうち、識別情報「ＵＩＤ１」〜「ＵＩＤ３」と対応付けられたスタートアドレスが送信されるものとする。
【００７２】
例えば、図５に示す例では、照明機器１０−１には、色彩（ＲＧＢＣ）と照度（Ｉ）との５つの制御対象に制御アドレスが設定され、照明機器１０−２には、色彩（ＲＧＢ）と移動（Ｍ）との４つの制御対象に制御アドレスが設定され、照明機器１０−３には、色彩（ＲＧＢＷ）と照度（Ｉ）と移動（Ｍ）との６つの制御対象に制御アドレスが設定されるものとする。
【００７３】
このような場合、例えば、照明機器１０−１は、自装置の識別情報「ＵＩＤ１」とスタートアドレス「１」を対応付けて受信するので、スタートアドレス「１」から連続する「５」つの制御アドレス、すなわち制御アドレス「１」〜「５」を各制御対象の制御アドレスとして設定する。また、例えば、照明機器１０−２は、自装置の識別情報「ＵＩＤ２」とスタートアドレス「６」を対応付けて受信するので、スタートアドレス「６」から連続する「４」つの制御アドレス、すなわち制御アドレス「６」〜「９」を各制御対象の制御アドレスとして使用する。また例えば、照明機器１０−３は、自装置の識別情報「ＵＩＤ３」とスタートアドレス「１０」を対応付けて受信するので、スタートアドレス「１０」から連続する「６」つの制御アドレス、すなわち制御アドレス「１０」〜「１５」を各制御対象の制御アドレスとして使用する。また、他の照明機器１０−２、１０−３も同様に、各制御対象に制御アドレスを設定することとなる。
【００７４】
図２に戻り、説明を続ける。操作制御部３５−４は、オペレータがフェーダ３４−１〜３４−ｎを操作した場合、操作されたフェーダ３４−１〜３４−ｎのフェーダ番号と対応する制御アドレスをフェーダ管理テーブル３２−１から取得し、取得した制御アドレスを含む制御情報を出力することで、操作されたフェーダ３４−１〜３４−ｎと対応する照明機器１０の制御を行う。
【００７５】
例えば、操作制御部３５−４は、フェーダ番号が「Ｆ１」であるフェーダ３４−１をオペレータが操作した場合は、フェーダ番号が「Ｆ１」と対応付けられた制御アドレス「１１」と操作内容とを含む制御情報を生成し、生成した制御情報を伝送装置２０に出力する。かかる場合、制御アドレス「１１」は、照明機器１０−１が照明する光の色彩のうち、赤色と対応付けられた制御アドレスであるため、照明機器１０−１は、オペレータの操作内容に従って、照明する赤色の光の強度を制御する。
【００７６】
なお、制御部３５は、オペレータからの指示に従い、アドレス数管理テーブル３２−２に登録されたスタートアドレスを修正することで、各照明機器１０−１〜１０−ｎに設定される制御アドレスを修正してもよい。例えば、設定部３５−３は、オペレータからの指示に従って各照明機器１０−１〜１０−ｎのスタートアドレスが修正された場合は、修正後のスタートアドレスとＵＩＤとを対応付けて出力してもよい。
【００７７】
このように、照明制御システム１は、照明機器１０の接続位置とアドレス数とを収集し、接続位置とアドレス数とに応じた制御アドレスを設定する。このため、例えば、照明制御システム１は、スタジオや舞台の照明レイアウト通りに、各照明機器とフェーダ３４−１〜３４−ｎに設定することができる。
【００７８】
上述した照明制御装置３０は、ＣＰＵ（Central  Processing  Unit）とＲＡＭ（Random  Access  Memory）、ＥＥＰＲＯＭ，フラッシュメモリなどを有するコンピュータが、所定の記録媒体に登録された制御プログラムを読み取り、読み取った制御プログラムを実行することにより、実現されてもよい。
【００７９】
（実施形態に係る収集処理）
図６は、実施形態に係る照明制御システムにおいて、接続位置を収集する収集処理の一例を示すフローチャートである。例えば、照明機器１０の制御部１２は、読出信号を受信したか否かを判定し（ステップＳ１０１）、読出信号を受信した場合は（ステップＳ１０１：Ｙｅｓ）、自装置の照明機器情報を送信済みか否かを判定する（ステップＳ１０２）。そして、制御部１２は、自装置の照明機器情報を送信済みである場合は（ステップＳ１０２：Ｙｅｓ）、読出信号を後方の照明機器に転送し（ステップＳ１０３）、自装置の照明機器情報を送信済みではない場合は（ステップＳ１０２：Ｎｏ）、自装置の照明機器情報を他の照明機器１０や伝送装置２０等、前方の装置に送信する（ステップＳ１０４）。
【００８０】
そして、制御部１２は、後方の照明機器から照明機器情報を受信したか否かを判定し（ステップＳ１０５）、受信した場合は（ステップＳ１０５：Ｙｅｓ）、受信した照明機器情報を前方の装置に送信し（ステップＳ１０６）、処理を終了する。一方、制御部１２は、照明機器情報を受信していない場合は（ステップＳ１０５：Ｎｏ）、ステップＳ１０６をスキップし、処理を終了する。また、制御部１２は、読出信号を受信していない場合は（ステップＳ１０１：Ｎｏ）、ステップＳ１０５を実行する。
【００８１】
（実施形態に係る設定処理）
図７は、実施形態に係る照明制御システムにおいて、接続位置とアドレス数とに応じて、制御アドレスを設定する設定処理の一例を示すフローチャートである。例えば、照明制御装置３０の収集部３５−１は、収集指示を出力し、各照明機器１０−１〜１０−ｎの照明機器情報を取得する（ステップＳ１０１）。次に、照明制御装置３０の割当部３５−２は、伝送装置とポートとの組ごとに、照明機器情報を受信した順番に応じて、各照明機器１０−１〜１０−ｎの接続位置、すなわち、接続順序を特定する（ステップＳ１０２）。
【００８２】
そして、設定部３５−３は、各照明機器１０−１〜１０−ｎの接続位置とアドレス数とに応じた制御アドレスを、各照明装置１０に対して自動設定する（ステップＳ１０３）。また、設定部３５−３は、各照明機器１０−１〜１０−ｎに設定する制御アドレスが修正された場合、すなわち、オペレータによりスタートアドレスが修正されたか否かを判定し（ステップＳ１０４）、修正された場合は（ステップＳ１０４：Ｙｅｓ）、修正後のスタートアドレスを出力することで、各照明機器１０−１〜１０−ｎに設定された制御アドレスを更新し（ステップＳ１０５）、処理を終了する。一方、設定部３５−３は、修正が行われなかった場合は（ステップＳ１０４：Ｎｏ）、ステップＳ１０５をスキップし、処理を終了する。
【００８３】
（制御アドレスの割り当てについて）
上述した実施形態では、照明制御装置３０は、同一のポートから直列に接続された複数の照明機器に対し、連続する制御アドレスを接続順序に応じた順に設定した。しかしながら、実施形態は、これに限定されるものではない。例えば、各伝送装置２０に複数のポートが存在し、各ポートに１つ以上の照明機器が直列に接続されている場合、照明制御装置３０は、各照明機器１０−１〜１０−ｎの接続順序の値が少ない順若しくは多い順に、連続する制御アドレスを設定してもよい。
【００８４】
例えば、図８は、各照明機器に設定される制御アドレスの他の例を説明する図である。なお、以下の説明では、照明機器１０−１のアドレス数が「５」、照明機器１０−２のアドレス数が「４」、照明機器１０−３のアドレス数が「５」、照明機器１０−４のアドレス数が「２」、照明機器１０−５のアドレス数が「３」、照明機器１０−６のアドレス数が「４」、照明機器１０−７のアドレス数が「２」であるものとする。
【００８５】
例えば、図８に示す例では、照明機器１０−１〜１０−３は、それぞれ伝送装置２０−１が有するポート２２から１番目〜３番目に接続された照明機器である。また、照明機器１０−４は、伝送装置２０−１が有するポート２３から１番目に接続された照明機器である。また、照明機器１０−５〜１０−７は、それぞれ伝送装置２０−２が有するポートから１番目〜３番目に接続された照明機器である。
【００８６】
このような場合、照明制御装置３０は、各照明機器１０−１〜１０−７が接続された伝送装置やポートの別によらず、各照明機器１０−１〜１０−７がポートから何台目に接続された照明機器であるか、すなわち、各照明機器１０−１〜１０−７の接続順序を収集し、収集した接続順序の値が少ない順に連続する制御アドレスを設定する。例えば、照明制御装置３０は、照明機器１０−１に制御アドレス「１」〜「５」を設定し、照明機器１０−４に制御アドレス「６」、「７」を設定し、照明機器１０−５に制御アドレス「８」〜「１０」を設定し、照明機器１０−２に制御アドレス「１１」〜「１４」を設定し、照明機器１０−６に制御アドレス「１５」〜「１８」を設定し、照明機器１０−３に制御アドレス「１９」〜「２３」を設定し、照明機器１０−７に制御アドレス「２４」、「２５」を設定する。
【００８７】
なお、照明制御装置３０は、収集した接続順序の値が大きい順に連続する制御アドレスを設定してもよい。このように、照明制御システム１は、各照明機器１０−１〜１０−ｎの接続位置とアドレス数とに応じた制御アドレスを設定するのであれば、任意のルールに従って、各照明機器１０−１〜１０−ｎに制御アドレスを設定してもよい。
【００８８】
また、照明制御装置３０は、照明機器情報に応じた順序で制御アドレスを設定してもよい。例えば、照明制御装置３０は、同一のポートに接続された照明機器１０のうち、ホリゾントライトに対して連続する制御アドレスを設定し、その後、続く制御アドレスを、スポットタイトに対して設定してもよい。このような設定を行った場合、照明制御装置３０は、各照明機器１０−１〜１０−ｎを制御するフェーダを、照明機器１０の種別ごとにレイアウトすることができる。
【００８９】
（制御アドレスと制御対象との対応について）
上述した実施形態では、照明制御装置３０は、各照明機器１０−１〜１０−ｎに対し、スタートアドレスを出力することで、スタートアドレスからアドレス数の分の制御アドレスを設定した。しかしながら、実施形態は、これに限定されるものではない。例えば、照明制御装置３０は、照明機器１０−１に設定する制御アドレスとしてスタートアドレスからアドレス数の分の制御アドレスを特定し、特定した各制御アドレスと照明機器１０−１の各制御対象とを対応付けて出力することで、制御アドレスを照明機器１０−１の制御対象ごとに設定してもよく、オペレータからの指示に応じて、各制御対象に設定する制御アドレスを変更してもよい。
【００９０】
ここで、各照明機器１０−１〜１０−ｎには、モードと呼ばれる設定ごとに、異なる数の制御アドレスを設定することができる場合がある。そこで、照明制御装置３０は、モードごとに、各照明機器１０−１〜１０−ｎのアドレス数を収集し、モードごとに、各照明機器１０−１〜１０−ｎの接続位置とアドレス数とに応じた制御アドレスを設定してもよい。
【００９１】
（伝送装置２０について）
上述した実施形態では、各照明機器１０−１〜１０−ｎは、伝送装置２０−１〜２０−ｎを介して照明制御装置３０に接続されていた。しかしながら、実施形態は、これに限定されるものではない。例えば、各照明機器１０−１〜１０−ｎは、照明機器１０を吊り下げ可能なバトン装置であって、伝送装置２０−１〜２０−ｎと同様の機能を発揮するバトン装置を介して、照明制御装置３０に接続されていてもよい。また、伝送装置２０−１〜２０−ｎは、照明機器１０を吊り下げ可能なバトン上に設置されていてもよい。
【００９２】
（接続順序の特定について）
上述した実施形態では、照明制御装置３０は、各照明機器１０−１〜１０−ｎの照明機器情報を受信する順番、伝送装置番号及びポート番号に基づいて、各照明機器１０−１〜１０−ｎの接続位置を特定した。しかしながら、実施形態は、これに限定されるものではない。例えば、照明制御装置３０は、オペレータからの操作により、各照明機器１０−１〜１０−ｎの接続位置やアドレス数を取得してもよい。
【００９３】
（アドレスの更新について）
ここで、照明機器１０には、前回の使用時の制御アドレスが設定されている場合がある。このため、照明制御システム１は、新たに追加した照明機器１０に前回使用時の制御アドレスが設定済みである場合は、制御アドレスの重複等が生じる結果、照明機器を適切に制御できない場合がある。そこで、照明制御装置３０は、照明機器１０の設置や交換が行われた場合は、新たに設置された照明機器１０の制御アドレスを、交換前の照明機器に設定された制御アドレスに更新してもよい。
【００９４】
（照明制御装置が利用する照明機器情報について）
上述した実施形態では、照明制御装置３０は、照明機器情報を用いて、照明機器の種別を特定した。しかしながら、実施形態は、これに限定されるものではない。例えば、照明制御装置３０は、照明機器情報に含まれる情報をキーとして、予め登録されたデータベースやインターネット上から照明機器の各種情報を収集し、収集した各種情報を用いた処理を実行してもよい。
【００９５】
以上説明したとおり、上記実施形態によれば、各照明機器１０−１〜１０−ｎの接続位置とアドレス数とに応じた制御アドレスを自動設定するので、各照明機器１０−１〜１０−ｎのレイアウトに応じた制御アドレスを自動設定できる結果、設定作業の効率を向上させることができる。
【００９６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９７】
１  照明制御システム
１０−１〜１０−ｎ  照明機器
１１  記憶部
１２  制御部
１３  光源部
２０−１〜２０−ｎ  伝送装置
２１、３１  通信部
２２、２３  ポート
３０  照明制御装置
３２  記憶部
３２−１  フェーダ管理テーブル
３２−２  アドレス数管理テーブル
３３  表示部
３４  操作部
３４−１〜３４−ｎ  フェーダ
３５  制御部
３５−１  収集部
３５−２  割当部
３５−３  設定部
３５−４  操作制御部
【図１】
0006497155.tif 000002
【図２】
0006497155.tif 000003
【図３】
0006497155.tif 000004
【図４】
0006497155.tif 000005
【図５】
0006497155.tif 000006
【図６】
0006497155.tif 000007
【図７】
0006497155.tif 000008
【図８】
0006497155.tif 000009